(57)【要約】【課題】たとえばテレビの裏等の人目のつきにくく、生活の邪魔にもなりにくい場所へ情報機器を設置することができる情報機器設置台を提供する。【解決手段】従来の情報分電盤のように箱体を有せずとも情報機器１０、１０を設置することができる。したがって、従来では設置できなかったスペース、すなわちたとえばテレビの裏等の人目のつきにくく、生活の邪魔にもなりにくいような狭いスペースを利用して情報機器１０、１０を設置することができる。また、設置台１が、前後方向に延びる脚部３、３の先端に、前面が情報機器の設置面とされたフレーム部２を備えているため、図１、図２に示すようにフレーム部２の後側の空間（すなわちフレーム部２と壁面との間の空間）を情報機器１０の設置空間として利用することができるため、情報機器１０、１０の設置自由度を向上することができる。【選択図】図１
2019047041.tif 000002
【特許請求の範囲】
【請求項１】
前後方向に延びる複数の脚部と、脚部の先端に連結され、前面が情報機器の設置面とされた設置部とを有しており、
前記設置部の下縁に、前記設置面に設置される情報機器の底面を支持するための支持段部が前方へせり出すよう設けられている一方、
前記脚部のうちの少なくとも１つに、自身を壁面に固定するための固定部が設けられていることを特徴とする情報機器設置台。
【発明の詳細な説明】
【技術分野】
【０００１】
本発明は、各種情報機器を設置するための情報機器設置台に関するものである。
【背景技術】
【０００２】
従来、各種情報機器を収納する情報分電盤として、たとえば特許文献１に記載されているようなものが知られている。このような情報分電盤を一般家庭で利用するに際しては、たとえば各家庭の納戸やクローゼット内等といったあまり人目につかない場所に設置されることが多かった。
【先行技術文献】
【特許文献】
【０００３】
【特許文献１】特開２０１０−１０４０７３号公報
【発明の概要】
【発明が解決しようとする課題】
【０００４】
近年、インターネットの普及に伴って各家庭の無線化も拡大している。したがって、上述したような場所に情報分電盤を設置すると、たとえば無線ＬＡＮの接続に支障をきたすこともあり、たとえばリビングルーム等の生活空間に情報分電盤を設置することが求められている。しかしながら、従来の情報分電盤をそのような場所へ設置すると見た目が悪くなる、生活の邪魔になる等の問題がある。また、たとえばテレビの裏等といった人目のつきにくい場所へ設置しようにも、設置スペースの問題で設置することができないことも多々ある。
【０００５】
そこで、本発明は、上記問題に鑑みなされたものであって、リビングルーム等の生活空間であるにも拘わらず、たとえばテレビの裏等の人目のつきにくく、生活の邪魔にもなりにくい場所へ情報機器を設置することができる情報機器設置台を提供しようとするものである。
【課題を解決するための手段】
【０００６】
上記目的を達成するために、本発明は、前後方向に延びる複数の脚部と、脚部の先端に連結され、前面が情報機器の設置面とされた設置部とを有しており、前記設置部の下縁に、前記設置面に設置される情報機器の底面を支持するための支持段部が前方へせり出すよう設けられている一方、前記脚部のうちの少なくとも１つに、自身を壁面に固定するための固定部が設けられていることを特徴とする。
【発明の効果】
【０００７】
本発明によれば、従来の情報分電盤のように箱体を有せずとも情報機器を設置することができるため、従来では設置できなかったスペース、すなわちたとえばテレビの裏等の人目のつきにくく、生活の邪魔にもなりにくいような狭いスペースを利用して情報機器を設置することができる。また、情報機器設置台が、前後方向に延びる複数の脚部と、脚部の先端に連結され、前面が情報機器の設置面とされた設置部とを有しているため、設置部の後側の空間、すなわち設置部と壁面との間の空間を情報機器の設置空間として利用することができ、情報機器の設置自由度を向上することができる。さらに、設置部の下縁に、設置面に設置される情報機器の底面を支持するための支持段部を設けているため、情報機器を安定して設置部に設置することができる。
【図面の簡単な説明】
【０００８】
【図１】情報機器設置台の壁面への設置状態を示した斜視説明図である。
【図２】図１の状態にある情報機器設置台を下側から示した説明図である。
【図３】情報機器設置台を示した斜視説明図である。
【図４】情報機器設置台を前側から示した説明図である。
【発明を実施するための形態】
【０００９】
以下、本発明の一実施形態となる情報機器設置台（以下、設置台と称す）について、図面にもとづき詳細に説明する。
図１は、設置台１の壁面への設置状態を示した斜視説明図である。図２は、図１の状態にある設置台１を下側から示した説明図である。図３は、設置台１を示した斜視説明図である。図４は、設置台１を前側から示した説明図である。
【００１０】
設置台１は、前面が情報機器１０（たとえばハブ）の設置面とされた前面視矩形のフレーム部２と、フレーム部２の左右側縁部から夫々後方へ延びる脚部３、３とを一体的に有してなる合成樹脂製の部材である。フレーム部２は、略全面にわたって上下左右に並設された複数の格子孔４、４・・を備えており、フレーム部２の前面にセットされた情報機器１０に格子孔４、４・・を利用してバンド部材（図示せず）を巻き回すことで、情報機器１０を締め付け固定可能としている。また、各格子孔４の周縁には、ネジ孔５、５・・が穿設されており、このネジ孔５、５・・を利用してフレーム部２の表面に磁石（図示せず）をネジ止めすることにより、その磁石に情報機器１０を吸着させて取り付けてもよい。さらに、フレーム部２の下縁には、フレーム部２に設置される情報機器１０の底面を支持するための支持段部６が、前方へせり出すように設けられている。
【００１１】
加えて、左側の脚部３は、前後方向に延びる上下一対の脚片３ｂ、３ｂと、両脚片３ｂ、３ｂの基端同士を連結するように配される上下方向へ長い基部３ａとを備えてなる。そして、基部３ａにおける脚片３ｂ、３ｂ間となる位置に、設置台１を壁面へネジ止めするための固定孔７、７・・が穿設されている。なお、脚片３ｂ、３ｂの先端がフレーム部２と連結されている。
【００１２】
そして、上記設置台１は、設置面となる壁面に設けられているコンセント１１や、予めコンセント１１の近傍に設置された情報機器１０（たとえばルーター）の前方を覆うようにして、コンセント１１等と同じ壁面にネジ止め固定される。その後、フレーム部２の前面側に、支持段部６上に載置する格好で、バンド部材や磁石等を用いて各種情報機器１０を後付けすればよい。
【００１３】
以上のような構成を有する設置台１によれば、従来の情報分電盤のように箱体を有せずとも情報機器１０、１０を設置することができる。したがって、従来では設置できなかったスペース、すなわちたとえばテレビの裏等の人目のつきにくく、生活の邪魔にもなりにくいような狭いスペースを利用して情報機器１０、１０を設置することができる。
【００１４】
また、設置台１が、前後方向に延びる脚部３、３の先端に、前面が情報機器の設置面とされたフレーム部２を備えているため、図１、図２に示すようにフレーム部２の後側の空間（すなわちフレーム部２と壁面との間の空間）を情報機器１０の設置空間として利用することができるため、情報機器１０、１０の設置自由度を向上することができる。
さらに、フレーム部２の下縁に、設置面に設置される情報機器１０の底面を支持するための支持段部６を設けているため、情報機器１０を安定してフレーム部２に設置することができる。
【００１５】
なお、本発明に係る設置台は、上記実施形態の態様に何ら限定されるものではなく、設置台の全体的な構成は勿論、設置部や脚部に係る構成等についても、本発明の趣旨を逸脱しない範囲で、必要に応じて適宜変更することができる。
【００１６】
たとえば、上記実施形態では、設置部を正面視矩形のフレーム状に成形しているが、正面視円形等の他の形状であってもよいし、設置部に格子孔を設けない（フレーム状にしない）としても何ら問題はない。
また、上記実施形態では、設置部の左右に脚部を設けているが、左右に加え上下に脚部を設けてもよいし、どの脚部に固定部を設けるかは適宜設計変更可能である。さらに、上記実施形態では、固定部として固定孔を設けるとしているが、たとえば基部の裏面に両面テープを貼着する（すなわち基部の裏面を固定部とする）等してもよく、どのような固定部を設けるかについても設計変更可能である。
【符号の説明】
【００１７】
１・・設置台、２・・フレーム部（設置部）、３・・脚部、４・・格子孔、５・・ネジ孔、６・・支持段部、７・・固定孔（固定部）、１０・・情報機器。
【図１】
2019047041.tif 000003
【図２】
2019047041.tif 000004
【図３】
2019047041.tif 000005
【図４】
2019047041.tif 000006